(57)【要約】【課題】編集を容易にする。【解決手段】ファイルに登録された素材データの画像タイムコード及びマーカ種別をマーカごとに第１の表示画面と、検出されたマーカのマーカ種別及びタイムコードをマーカの記録順に画像を除いて一覧表示する第２の表示画面とを切換表示させるようにしたことにより、記録媒体の素材データにアクセスすることなく容易に編集リストの作成をし得る。【選択図】図７
2008041245.tif 000002
【特許請求の範囲】
【請求項１】
記録媒体に記録された素材データを編集する編集装置において、
上記記録媒体に記録されているマーカを検出する検出手段と、
上記検出手段による上記マーカの検出に応じて上記記録媒体から読み出された上記素材データの画像と、当該素材のタイムコード及び検出された上記マーカのマーカ種別とを所定のファイルに登録するデータ登録手段と、
上記ファイルに登録された上記素材データの画像と、当該素材のタイムコード及び検出された上記マーカのマーカ種別とを有するマーカ情報表示部がマーカごとに表示される第1の表示画面と、検出された上記マーカのマーカ種別及び各マーカに対応するタイムコードが上記マーカの記録された順に上記画像を除いて一覧表示される第2の表示画面とをデータ表示手段に切換表示させる表示制御手段と、
上記データ表示手段に表示された上記素材データの画像と、当該素材のタイムコード及び検出された上記マーカのマーカ種別とを用いて上記素材データの編集リストを作成する編集リスト作成手段と
を具えることを特徴とする編集装置。
【請求項２】
上記表示制御手段は、上記第2の表示画面において、上記素材データの上記各マーカに対応した画像が上記データ登録手段に登録されているか否かを示すフラグ表示部を表示することを特徴とする請求項１に記載の編集装置。
【請求項３】
記録媒体に記録された素材データを編集する編集方法において、
上記記録媒体に記録されているマーカを検出するステップと、
上記検出手段による上記マーカの検出に応じて上記記録媒体から読み出された上記素材データの画像と、当該素材のタイムコード及び検出された上記マーカのマーカ種別とをデータ登録手段の所定のファイルに登録するステップと、
上記ファイルに登録された上記素材データの画像と、当該素材のタイムコード及び検出された上記マーカのマーカ種別とを有するマーカ情報表示部がマーカごとに表示される第1の表示画面と、検出された上記マーカのマーカ種別及び各マーカに対応するタイムコードが上記マーカの記録された順に上記画像を除いて一覧表示される第2の表示画面とをデータ表示手段に切換表示させるステップと、
上記データ表示手段に表示された上記素材データの画像と、当該素材のタイムコード及び検出された上記マーカのマーカ種別とを用いて上記素材データの編集リストを作成するステップと
を具えることを特徴とする編集方法。
【発明の詳細な説明】
【技術分野】
【０００１】
本発明は編集装置及び編集方法に関し、編集素材の必要部分を抜き出して編集を行う編集装置及び編集方法に適用して好適なものである。
【背景技術】
【０００２】
従来、カメラマンがビデオカメラ等によって素材映像を撮像することにより得られる素材データは磁気テープに記録され編集装置で編集される。この場合、編集オペレータは編集装置の再生装置を用いて磁気テープを再生しながら、当該磁気テープに記録された素材映像を目視確認し、編集作業に必要な部分を抜き出して他の媒体に記録（ダウンロード）することにより、必要な映像及び音声のみでなる編集済データを得るようになされている。
【０００３】
ところで、カメラマンがビデオカメラを用いて素材映像を撮像するとき、撮影者は後の編集作業において必要であると判断したシーンについて、当該シーンが磁気テープ上に記録される際のタイムコードをメモしておく。
【０００４】
編集オペレータは、編集作業において素材データが記録された磁気テープを再生装置に装填し、カメラマンがメモしたタイムコードに基づいてカメラマンが必要であると判断したシーンの頭出しを行い、当該シーンの内容を確認した上でこれを必要な素材として他の媒体に記録する。
【発明の開示】
【発明が解決しようとする課題】
【０００５】
ところが、カメラマンが必要であると判断したシーンの記録位置をメモ書きによって編集オペレータに伝える方法では、編集オペレータはそのタイムコードによって示されたシーン毎に再生装置を操作して頭出しを行うといった煩雑な作業が必要となる問題があった。
【０００６】
本発明は以上の点を考慮してなされたもので、編集作業が一段と容易かつ正確である編集装置及び編集方法を提案しようとするものである。
【課題を解決するための手段】
【０００７】
かかる課題を解決するため本発明においては、記録媒体に記録されているマーカを検出し、当該マーカの検出に応じて記録媒体から読み出された素材データを所定のファイルに登録しておき、当該ファイルに登録された素材データの画像、タイムコード及びマーカ種別をマーカごとに表示する第１の表示画面と、検出されたマーカのマーカ種別及びタイムコードをマーカの記録順に画像を除いて一覧表示する第２の表示画面とを切換表示して素材データの編集リストを作成する。
【発明の効果】
【０００８】
本発明によれば、ファイルに登録された素材データの画像タイムコード及びマーカ種別をマーカごとに第１の表示画面と、検出されたマーカのマーカ種別及びタイムコードをマーカの記録順に画像を除いて一覧表示する第２の表示画面とを切換表示させるようにしたことにより、記録媒体の素材データにアクセスすることなく容易に編集リストの作成をし得る。
【発明を実施するための最良の形態】
【０００９】
以下図面について、本発明の一実施例を詳述する。
【００１０】
（１）テープフォーマット
図１はビデオカメラによって撮像された素材映像を記録してなる磁気テープ１の記録パターンを示し、磁気テープ１の中央には回転ヘッドによってディジタルの映像信号及び音声信号が記録された傾斜トラックＴＤが生成される。なお傾斜トラックＴＤは、ディジタルの映像信号が記録された領域ＴＤＶとディジタルの音声信号が記録された領域ＴＤＡから構成されている。磁気テープ１の一方の縁部には、固定ヘッドによってアナログの音声信号が記録された音声トラック（長手方向トラック）ＴＡが生成される。磁気テープ１の他方の縁部には、固定ヘッドによってコントロール信号が記録されたコントロールトラック（長手方向トラック）ＴＣが生成され、更にコントロールトラックに隣接した位置には、固定ヘッドによってタイムコード信号が記録されたタイムコードトラック（長手方向トラック）ＴＴが生成される。
【００１１】
上記タイムコードトラックＴＴに記録されるタイムコード信号（ＬＴＣ）は、図２に示すように、８０ビットからなる１フレームエリアを１単位として構成されている。この１フレームエリアは、同期信号を記録するための同期信号エリア、タイムコード（ＨＨ：ＭＭ：ＳＳ：ＦＦ）を記録するための８個のタイムコード記録ビットエリア、ユーザーズビット（Ｄ１Ｄ２：Ｃ１Ｃ２：Ｂ１Ｂ２：Ａ１Ａ２）を記録するための８個のユーザーズビット記録エリアとから構成されている。
【００１２】
具体的には、タイムコードの「Ｈｏｕｒ」情報は、ビット４８〜５１、５６〜５９で表される２つのビットエリア（Ｈ、Ｈ）に記録され、タイムコードの「Ｍｉｎｕｔｅ」情報は、ビット３２〜３５、４０〜４２で表される２のビットエリア（Ｍ、Ｍ）に記録され、タイムコードの「Ｓｅｃｏｎｄ」情報は、ビット１６〜１９、２４〜２６で表される２つのビットエリア（Ｓ、Ｓ）に記録され、タイムコードの「Ｆｒａｍｅ」情報は、ビット０〜３、８、９で表される２つのビットエリア（Ｆ、Ｆ）に記録される。
【００１３】
また８個のユーザーズビット記録エリアには、スタートコードと、マーク識別コードと、データ通し番号コードと、チェックサムコードとが記録されるようになっている。スタートコードは、ビット６０〜６３、５２〜５５で表される２つのビットエリア（Ｄ１、Ｄ２）に記録され、マーク識別コードは、ビット４４〜４７、３６〜３９で表される２つのビット（Ｃ１、Ｃ２）に記録れさ、データ通し番号はビット２８〜３１、２０〜２３で表される２つのビットエリア（Ｂ１、Ｂ２）に記録され、チェックサムコードは、ビット１２〜１５、４〜７で表される２つのビットエリア（Ａ１、Ａ２）に記録される。
【００１４】
スタートコードは、８０ビットから成る１フレームにおいて、タイムコード情報が記録されたエリア及びユーザーズエリアが始まることを示すコードであって、常に「ＯＦＦｈ」のデータが記録される。
【００１５】
マーク識別コードは、マークデータの種類を表すためのコードである。カメラマンによって（Ｒｅｃスタートマーク」がマーキングされた場合には、マーク識別データとして「２０ｈ」が記録され、カメラマンによって「ショットマーク１」がマーキングされた場合には、マーク識別データとして「２１ｈ」が記録され、カメラマンによって「ショットマーク２」がマーキングされた場合には、マーク識別データとして「２２ｈ」が記録される。また編集装置を操作する編集オペレータによって「エディットマーク１」がマーキングされた場合には、マーク識別データとして「２３ｈ」が記録され、編集オペレータによって「エディットマーク２」がマーキングされた場合には、マーク識別データとして「２４ｈ」が記録される。
【００１６】
尚、このマーク識別コードは、カメラマンや編集オペレータによってマーキングが指定されたその瞬間の１フレームのみ記録されるのではなく、マーキングが指定されたその時から２０フレーム間連続して記録される。例えば、タイムコードが「０１：１２：２０：０５」で表されるタイミングでカメラマンによってショットマーク１がマーキングされた場合を想定する。この場合には、マーキングされた瞬間のタイムコード「０１：１２：２０：０５」からタイムコード「０１：１２：２０：２４」までの２０フレーム間、「２１ｈ」のデータがマーク識別コードとしてこのタイムコードトラックに記録され続ける。
【００１７】
このように、２０フレームもの間連続して同じマーク識別コードを記録する理由は、後述する編集装置において確実にこのマーク識別コードを読み出すことができるようにするためである。テープのデータ欠陥やビットエラー等から、このタイミングトラックから情報を再生しようとした時に、読みとりエラーが発生してしまうことがある。このような場合に、もし、このタイムコード「０１：１２：２０：０５」の部分のみにしかこのマーク識別コードが書かれていないと、テープ上からマーク情報を得ることが出来なくなってしまう可能性がある。また、テープを高速で走行させた場合には、ＣＰＵ等のハードウェアの処理能力によって、全フレームのデータを検索することが出来ない場合がある。このような場合にも、このタイムコード「０１：１２：２０：０５」の部分にしかこのマーク識別コードが書かれていないと、テープ上からマーク情報を得ることができなくなり、その結果、同じように重要なシーンを検索することができなくなってしまう可能性がある。
【００１８】
しかし、図２に示すフォーマットによると、マーキングしたタイミングから２０フレームの間、同じマーク識別コードを記録しているので、たとえ、最初のフレームに記録されたマーク識別コードを読み出すことが出来なかったとしても、その後に続くフレームに記録されたマーク識別コードを再生することによって、確実にマーク識別コードを検索することができる。また、タイムコードトラック上の全フレームのデータにアクセス出来ない程度にテープを高速で走行させた場合にも、２０フレームのうち少なくとも１フレームのマーク識別コードを読み出すことができれば良いので、確実にマーク識別コードをテープ上から検索することができる。
【００１９】
データ通し番号コードは、連続した２０フレームにおいて先頭から何番目のフレームであるかを示すデータである。例えば、上述した例では、タイムコード「０１：１２：２０：０５」のフレームのデータ通し番号として、最初のフレームであることを示す「０１」が記録され、タイムコード「０１：１２：２０：２４」のフレームのデータ通し番号として、２０番目のフレームであることを示す「２０」が記録される。
【００２０】
このようにデータ通し番号コードを記憶しておく理由は、最初のフレームのタイムコード、つまり、マーキングされたときのタイムコードを得るためである。例えば、高速再生によって、タイムコードトラック上に記録された２０フレームのデータの中から、高速テープ走行によって８番目のフレームのデータが読み出すことができたとする。読み出された８番目のフレームのタイムコードは、０１：１２：２０：１２であって、データ通し番号コードは「０８」である。この２つのデータから、最初のタイムコードは、容易に「０１：１２：２０：０５」であると判明する。
【００２１】
（２）編集装置の全体構成
図３において１００は全体として編集装置を示し、素材データが記録された磁気テープ１を再生するハイブリッドレコーダ１００Ａ及びコンピュータ構成の編集コントローラ１００ＢがＲＳ−４２２シリアル通信を行う制御用通信ケーブル１１１及びビデオ・オーディオ信号を伝送する伝送ケーブル１１２によって接続されている。
【００２２】
ハイブリッドレコーダ１００Ａは、磁気テープ１に対して素材データを記録又は再生するテープ記録再生部５０と、ハードディスクに対して磁気テープ１から再生された素材データを記録すると共に当該記録された素材データをディスクファイル上でノンリニア編集するディスク記録再生部７０とを有する。
【００２３】
システムコントローラ６０は、編集コントローラ１００Ｂから制御用通信ケーブル１１１を介して入力される制御信号に基づいて、テープ記録再生部５０に装填された磁気テープ１に記録されている素材データ（映像及び音声データ）のうち、制御信号によって指定された特定のシーン又は全体をディスク記録再生部７０へダウンロードする。この場合、テープ記録再生部５０は磁気テープ１から４倍速で素材データを高速再生し、当該再生された素材データをスイッチ回路ＳＷ１を介してディスク記録再生部７０に供給する。ディスク記録再生部７０はテープ記録再生部５０から再生された素材データを記録することにより、４倍速での高速ダウンロードが行われる。
【００２４】
ここで、図４はテープ記録再生部５０の構成を示し、動作制御部３はシステムコントローラ６０で設定された動作モード信号ＣＴに基づきモータ制御信号ＭＣ及びモード信号ＭＳを生成する。
【００２５】
モータ制御信号ＭＣはモータ制御部４に供給され、モード信号ＭＳはタイムコード信号記録部２４、タイムコード信号再生部３１、ディジタル信号記録部４１、ディジタル信号再生部４２、アナログ信号記録部４３、アナログ信号再生部４４及び単安定マルチバイブレータ（以下、「モノマルチ」という。）１７に供給される。
【００２６】
モータ制御部４では、供給されたモータ制御信号ＭＣに基づきモータ駆動信号ＭＤが生成される。このモータ駆動信号ＭＤがキャプスタンモータ５及びドラムモータ６に供給されることにより、磁気テープ１が走行されると共に、複数のヘッドを有する回転ヘッド部７が回転される。
【００２７】
ディジタル信号記録部４１ではディジタルの映像信号や音声信号が記録信号に変換される。またこの記録信号が動作制御部３から供給されたモード信号ＭＳに基づき回転ヘッド部７に供給されて磁気テープ１に対して信号の記録が行われる。磁気テープ１を再生して回転ヘッド部７から得られた再生信号は、ディジタル信号再生部４２に供給されてディジタルの映像信号や音声信号に変換される。
【００２８】
また、アナログ音声信号記録部４３ではアナログの音声信号が記録信号に変換される。この記録信号は動作制御部３から供給されたモード信号ＭＳに基づき固定ヘッド８に供給された磁気テープ１に対して信号の記録が行われる。磁気テープ１を再生して固定ヘッド８から得られた再生信号は、アナログ音声信号再生部４４に供給されてアナログの音声信号に変換される。またデータ信号発生部１１は、システムコントローラ６０において時間やユーザーズビット領域に記録するデータ（テープリール番号等）の設定及びエディットマークデータを記録するか否かの設定が行われた結果を設定信号ＳＳとして入力する。
【００２９】
データ信号発生部１１では、システムコントローラ６０からの設定信号ＳＳに基づきタイムコードデータＤＴ、ユーザデータＤＵ、及び特定パターンのエディットマークデータＤＭを生成する。ここで生成されたタイムコードデータＤＴはタイムコードデータ保持部１２に保持されると共に信号変調部２３に供給される。またユーザデータＤＵは、ユーザデータ保持部１３に保持されると共に、信号切換スイッチ１９の端子ａに供給される。エディットマークデータＤＭはエディットマークデータ保持部１５に保持されると共に、信号切換スイッチ１９の端子ｂに供給される。
【００３０】
システムコントローラ６０（図３）は、編集コントローラ１００Ｂから供給される制御信号に基づいて、上記エディットマークを磁気テープ１に記録し得るようになされており、システムコントローラ６０から制御信号ＳＧがモノマルチ２１に供給されると、モノマルチ２１から所定時間ハイレベル「Ｈ」の信号ＧＷが論理和回路２２に供給される。
【００３１】
モノマルチ１７では、モード信号ＭＳに基づき動作モードが記録動作に移行したとき所定時間ハイレベル「Ｈ」のモードタイミング信号ＭＴが生成される。このモードタイミング信号ＭＴは、論理和回路２２に供給される。
【００３２】
論理和回路２２では、ＧＳＭ信号ＧＷとモードタイミング信号ＭＴの論理和がとられ、論理和信号ＭＲが信号切換スイッチ１９に供給される。信号切換スイッチ１９では、この論理和信号ＭＲによって可動端子が制御される。
【００３３】
信号変調部２３では、タイムコードデータ保持部１２から供給されたタイムコードデータＤＴの更新が自動的に行われる。また更新されたタイムコードデータは信号切換スイッチ１９で選択されたデータと共に変調されて上述したようなフォーマットの記録タイムコード信号ＷＴとされる。この記録タイムコード信号ＷＴはタイムコード信号記録部２４に供給される。
【００３４】
タイムコード信号記録部２４では、供給された記録タイムコード信号ＷＴが記録信号ＷＳに変換されると共に、動作制御部３から供給されたモード信号ＭＳに基づいて固定ヘッド２５に供給される。このテープ記録再生部５０は、以下に説明するタイムコード信号再生手段を備え、素材データ（映像及び音声データ）の４倍速再生時にタイムコードと上記ショットマークＧＳＭ１及びＧＳＭ２、並びに記録開始マークを再生することができる。
【００３５】
信号再生手段を構成する固定ヘッド２５にはタイムコード信号再生部３１が接続されており、磁気テープ１のＬＴＣ（Ｌｏｎｇｉｔｕｄｉｎａｌ  Ｔｉｍｅ  Ｃｏｄｅ）トラックから固定ヘッド２５を介して読み出された再生信号ＲＳが再生タイムコード信号ＲＴに変換される。この再生タイムコード信号ＲＴはマーカ検出部５５のパターン検出手段を構成するデータ分離部３２に供給される。なお、タイムコード信号再生手段は固定ヘッド２５とタイムコード信号再生部３１で構成されている。
【００３６】
データ分離部３２はパターン検出手段を構成すると共にタイムコード再生手段を構成しており、再生タイムコード信号ＲＴからタイムコードデータＤＴとユーザーズビット領域ＤＥを分離する。なおタイムコード再生手段は、データ分離部３２とタイムコードデータ保持部３３で構成される。分離されたタイムコードデータＤＴはタイムコードデータ保持部３３に供給されて、次のタイムコードデータＤＴが供給されるまで一時保持される。また保持されたタイムコードデータＤＴはデータ処理部（ＣＰＵ）３７に供給される。ユーザーズビット領域データＤＥはユーザーズビット保持部３４に保持される。ユーザーズビット保持部３４に保持されたユーザーズビット領域データＤＥＨ、パターン比較部３５とＣＰＵ３７に供給される。
【００３７】
パターン比較部３５には比較パターン発生部３６が接続されており、比較パターン発生部３６で生成された記録開始マークデータＤＣやショットマークデータＤＧとユーザーズビット保持部３４から供給されたユーザーズビット領域データＤＥが比較され、比較結果を示す比較信号ＣＣがＣＰＵ３７に供給される。
【００３８】
ＣＰＵ３７では、パターン比較部３５から供給された比較信号ＣＣに基づいて、記録開始マークデータＤＣとユーザーズビット領域データＤＥが一致したとき、及びショットマークデータＤＧとユーザーズビット領域データＤＥが一致したとき、タイムコードデータＤＴが対応する記録開始マークＲＳＭ又はショットマークＧＳＭ１及びＧＳＭ２と共にＲＡＭに記憶される。この記憶されたタイムコードデータＤＴ、記録開始マークＲＳＭ及びショットマークＧＳＭ１及びＧＳＭ２はＣＰＵ３７からハイブリットレコーダ１００Ａ（図３）のシステムコントローラ６０に供給される。
【００３９】
（３）マーカサーチ／スキャンによるマーカＬｏｇファイルの作成及び編集
図３において編集オペレータがモニタの表示画面上に表示されたＧＵＩ(Ｇｒａｐｈｉｃａｌ Ｕｓｅｒ Ｉｎｔｅｒｆａｃｅ)１２０の画像を見ながらキーボード１２２又はマウス１２１を操作して、ハイブリッドレコーダ１００Ａのテープ記録再生部５０の磁気テープ１上に記録されたマーカ（記録開始マークＲＳＭ及びショットマークＧＳＭ１、ＧＳＭ２）をサーチする命令を入力すると、編集コントローラ１００Ｂのシステムコントローラ１１４は、当該指定に応じた制御信号を制御用通信ケーブル１１１を介してハイブリッドレコーダ１００Ａのシステムコントローラ６０に送信し、テープ記録再生部５０に対して磁気テープ１を高速で送りながら、磁気テープ１のタイムコードトラックＴＴを固定ヘッド２５で走査すると共に傾斜トラックＴＤを回転ヘッド部７で走査する。
【００４０】
タイムコードトラックＴＴを固定ヘッド２５で走査することにより得られる再生信号は、タイムコード再生信号再生部３１で再生タイムコード信号ＲＴに変換され、さらにデータ分離部３２でタイムコードデータＤＴとユーザーズビット領域データＤＥが分離される。この分離されたユーザーズビット領域データＤＥが記録開始マークＲＳＭを表す記録開始マークデータＤＣ或いはショットマークＧＳＭ１、ＧＳＭ２を表すショットマークデータＤＧと等しいことがパターン比較部３５で検出されたときには、このときのタイムコードデータＤＴ、記録開始マークＲＳＭ及びショットマークＧＳＭ１、ＧＳＭ２がＣＰＵ３７のＲＡＭ３７Ａに一旦記憶された後、ハイブリッドレコーダ１００Ａのシステムコントローラ６０を介して編集コントローラ１００Ｂのシステムコントローラ１１４に送出される。
【００４１】
またこのとき磁気テープ１の傾斜トラックＴＤを回転ヘッド部７で走査することにより得られる再生信号は、ディジタル信号再生部４２でディジタルの映像信号や音声信号とされて出力され、ハイブリッドレコーダ１００Ａの信号デコーダ部８０においてデコードされ、編集コントローラ１００Ｂのビデオ圧縮＆キャプチャ１１３に送信される。
【００４２】
編集コントローラ１００Ｂのシステムコントローラ１１４は、記録開始マークＲＳＭやショットマークＧＳＭ１、ＧＳＭ２がハイブリッドレコーダ１００Ａから入力されると、これら記録開始マークＲＳＭやショットマークＧＳＭ１、ＧＳＭ２及び対応するタイムコードをメモリ１２５のマーカ種別格納領域１１６及びタイムコード格納領域１１７に格納すると共に、このときハイブリッドレコーダ１００Ａの信号デコーダ部８０を介して再生された映像信号をビデオ圧縮＆キャプチャ１１３を介してメモリ１２５のスタンプ画格納領域１１８に格納する。
【００４３】
ここで図５はハイブリッドレコーダ１００Ａのテープ記録再生部５０に装填された磁気テープ１からマーカ及びそのスタンプ画を読み出して編集コントローラ１００Ｂのメモリ１２５に格納する手順を示し、テープ記録再生部５０に磁気テープ１を装填し、編集オペレータが編集コントローラ１００Ｂのキーボード１２２又はマウス１２１を操作してマーカのサーチを指定すると、編集コントローラ１００Ｂのシステムコントローラ１１４は当該指定を表す制御信号ＣＯＮＴ１０１をハイブリッドレコーダ１００Ａのシステムコントローラ６０に送出する。
【００４４】
システムコントローラ６０は当該制御信号ＣＯＮＴ１０１に基づいて、先ずマーカ検出部５５にマーカデータバッファとして設けられているＲＡＭ３７Ａ（図４）のデータ（マーカデータ）をリセットする。またこれと同時に、編集コントローラ１００Ｂのシステムコントローラ１１４は、制御信号ＣＯＮＴ１０２をメモリ１２５に送出することにより、メモリ１２５内のデータをリセットする。
【００４５】
このようにしてサーチ準備が完了すると、編集コントローラ１００Ｂのシステムコントローラ１１４は、ハイブリッドレコーダ１００Ａに対してテープ記録再生部５０の磁気テープ１からのマーカのサーチ動作を開始指定する。これによりテープ記録再生部５０は磁気テープ１を高速再生しながらその先頭位置からマーカのサーチ動作を開始し、検出されたマーカをマーカデータバッファであるＲＡＭ３７Ａに格納して行く。
【００４６】
そして、これと同時に編集コントローラ１００Ｂのシステムコントローラ１１４は、ポーリング信号ＣＯＮＴ１０３をハイブリッドレコーダ１００Ａのシステムコントローラ６０に送出することにより、磁気テープ１上からマーカが検出されたか否かを確認する。
ハイブリッドレコーダ１００Ａのシステムコントローラ６０は、編集コントローラ１００Ｂからポーリング信号ＣＯＮＴ１０３を受け取ると、このときマーカデータバッファ（ＲＡＭ３７Ａ）に格納されているマーカ数ＮＭを確認し、その結果を応答信号ＣＯＮＴ１０４として編集コントローラ１００Ｂに戻す。
【００４７】
このときテープ記録再生部５０においては、未だマーカを検出していないことにより、ＲＡＭ３７Ａ内のマーカ数ＮＭは「０」である。これにより編集コントローラ１００Ｂのシステムコントローラ１１４は、マーカの取り込み動作を行わず、再びポーリング信号ＣＯＮＴ１０５をハイブリッドレコーダ１００Ａのシステムコントローラ６０に送出する。
このとき、テープ記録再生部５０では２つのマーカ（記録開始マークＲＳＭ及びショットマークＧＳＭ１）が検出されており、これに応じてＲＡＭ３７Ａにはこれら２つ分のマーカデータが格納されている。従つて、ポーリング信号ＣＯＮＴ１０５を受けたシステムコントローラ６０はＲＡＭ３７Ａ内に格納されているマーカ数ＮＭが「２」であることを確認し、この結果を編集コントローラ１００Ｂのシステムコントローラ１１４に応答信号ＣＯＮＴ１０６として戻す。
【００４８】
システムコントローラ１１４は、当該応答信号ＣＯＮＴ１０６に応じてマーカデータ取得要求信号ＣＯＮＴ１０７をハイブリッドレコーダ１００Ａのシステムコントローラ６０に送出することにより、システムコントローラ６０はＲＡＭ３７Ａ内に格納されている２つのマーカのデータ（記録開始マークＲＳＭを表す記録開始マークデータＤＣ及びショックマークＧＳＭ１を表すショットマークデータＤＧ）及びそれらのタイムコードデータＤＴを応答信号ＣＯＮＴ１０８としてシステムコントローラ１１４に送出する。
【００４９】
システムコントローラ１１４は当該マークデータＤＣ、ＤＧ及びタイムコードデータＤＴをメモリ１２５のマーカ種別格納領域１１６及びタイムコード格納領域１１７に格納すると共に、このときハイブリッドレコーダ１００Ａの信号デコーダ部８０に保持されている静止画をこのとき取得した各マーカに対応したスタンプ画としてビデオ圧縮＆キャプチャ１１３を介してメモリ１２５のスタンプ画格納領域１１８に格納する。
【００５０】
このようにして編集コントローラ１００Ｂのメモリ１２５内にマーカデータが格納されると、ハイブリッドレコーダ１００Ａのシステムコントローラ６０はＲＡＭ３７Ａ内のデータをリセットする。
【００５１】
以下同様にして、編集コントローラ１００Ｂのシステムコントローラ１１４はポーリング信号ＣＯＮＴ１０９をハイブリッドレコーダ１００Ａのシステムコントローラ６０に送出し、これに対応する応答信号ＣＯＮＴ１１０を受け、このときＲＡＭ３７Ａ内にマーカデータが格納されていないことにより、メモリ１２５へのマーカデータの書込みは行わず、さらに続いてポーリング信号ＣＯＮＴ１１１をハイブリッドレコーダ１００Ａのシステムコントローラ６０に送出する。
【００５２】
このとき、ハイブリッドレコーダ１００Ａにおいては磁気テープ１からショットマークＧＳＭ２を検出しており、このショットマークデータＤＧはＲＡＭ３７Ａに格納されている。従って、システムコントローラ６０はポーリング信号ＣＯＮＴ１１１に対する応答信号ＣＯＮＴ１１２によってＲＡＭ３７Ａ内に格納されているマーカ数ＮＭを編集コントローラ１００Ｂのシステムコントローラ１１４に返すことにより、システムコントローラ１１４は当該格納されているマーカデータを取得するためのマーカデータ取得要求信号ＣＯＮＴ１１３をハイブリッドレコーダ１００Ａのシステムコントローラ６０に送出することにより、システムコントローラ６０はＲＡＭ３７Ａ内に格納されているマーカのデータ（ショットマークＧＳＭ２を表すショットマークデータＤＧ）及びそのタイムコードデータＤＴを応答信号ＣＯＮＴ１１４としてシステムコントローラ１１４に送出する。
【００５３】
システムコントローラ１１４は入力されたマーカのデータをメモリ１２５の対応する領域に追加書込みする。かくして編集コントローラ１００Ｂのメモリ１２５には、磁気テープ１上に記録されている各マーカのデータ及びそのスタンプ画が格納され、これらは後述するマーカＬｏｇファイルのデータとして登録されたことになる。
【００５４】
このようにしてメモリ１２５にマーカのデータが格納されると、編集コントローラ１００Ｂのシステムコントローラ１１４は、ＧＵＩ１２０を介してモニタ上に表示されるＧＵＩ画面に各マーカのデータをマーカＬｏｇファイルとして表示する。
【００５５】
すなわち、編集コントローラ１００Ｂのシステムコントローラ１１４は、モニタの表示画面上にＧＵＩを表示することにより、編集オペレータに対して編集状態を表示すると共に、編集オペレータは当該表示画面上のカーソルを所定の操作表示部に合わせて入力操作することにより、種々の編集命令を入力し得るようになされている。
【００５６】
この場合、図６に示すように、モニタの表示画面上に表示されるＧＵＩ画面は、大きく分けて３つの表示パネルから構成されている。第１の表示パネルであるＶｉｅｗｅｒパネルＰＮＬ１は、現在選択されているデバイス（テープ記録再生部５０又はディスク記録再生部７０）の画像や、編集中の画像をビデオウィンドウ２０３に表示するようになされている。
【００５７】
このＶｉｅｗｅｒパネルＰＮＬ１において、ソースボタン群２０１は当該編集コントローラ１００Ｂを含む編集装置１００における編集可能な素材ソースを選択するボタン群であり、この実施の形態の場合、編集オペレータが当該ボタン群２０１の操作ボタンを画面上でクリックすることによりテープ記録再生部５０、ディスク記録再生部７０又は外部入力端を介して入力される外部ソースを選択し得るようになされている。
【００５８】
また、動作状態表示部２０２はソースボタン群２０１において選択された素材ソースの動作状態を文字によって表示する。また、スクロールバー２０４は当該スクロールバー２０４の左又は右ボタンをクリックした後ビデオウィンドウ２０３に表示されている素材ソースをフレーム単位でキューアップし得るようになされている。ビデオウィンドウ２０３に表示されている画像のタイムコードは、タイムコード表示部２０５に表示される。
【００５９】
さらにビデオウィンドウ２０３の下部には、このときビデオウィンドウ２０３に表示されている画像を再生中のデバイス（テープ記録再生部５０又はディスク記録再生部７０）を制御する制御ボタン群２０６が表示され、編集オペレータは当該制御ボタン群２０６の操作ボタンをクリックすることにより、デバイスに対して所望の制御命令を送出することができる。
【００６０】
この制御ボタン群２０６の一部には、マーカサーチ送り／戻しボタン２０６Ａ及び２０６Ｂが設けられており、編集オペレータが当該マーカサーチ送りボタン２０６Ａ又はマーカサーチ戻しボタン２０６Ｂをクリックすることによりシステムコントローラ１１４は後述するサーチ動作に入り、磁気テープ１を順方向又は逆方向に早送り又は巻き戻ししながら当該磁気テープ１に記録されているマーカ（記録開始マークＲＳＭ又はショットマークＧＳＭ１、ＧＳＭ２）のうちサーチしようとするマーカの位置でキューアップするようになされている。
【００６１】
ＧＵＩ１２０を動作させるＣＰＵ１１４（図３）は、このようにしてキューアップしたマーカ及びこれに対応する画像（スタンプ画）をＧＵＩ画面のＦｉｌ−ｅｓパネルＰＮＬ２（図５）に表示されるマーカＬｏｇファイルに登録する。
【００６２】
また制御ボタン群２０６の一部には、マーカスキャン送り／戻しボタン２０７Ａ及び２０７Ｂが設けられており、編集オペレータが当該マーカスキャン送りボタン２０７Ａ又はマーカスキャン戻しボタン２０６Ｂをクリックすることによりシステムコントローラ１１４は後述するスキャン動作に入り、磁気テープ１を２０倍速以下のスタンプ画を取り込み得る高速度で順方向又は逆方向に早送り又は巻き戻ししながら当該磁気テープ１に記録されているマーカ（記録開始マークＲＳＭ及びショットマークＧＳＭ１、ＧＳＭ２）を当該マーカが付された画像（スタンプ画）と共に取り込むようになされている。
【００６３】
このようにしてマーカスキャンされたマーカ及びこれに対応する画像（スタンプ画）はＧＵＩ画面のＦｉｌｅｓパネルＰＮＬ２に表示されるマーカＬｏｇファイルに登録される。
【００６４】
またＶｉｅｗｅｒパネルＰＮＬ１には、イン点画像表示部２０９Ａ及びアウト点画像表示部２０９Ｂが設けられており、ＦｉｌｅｓパネルＰＮＬ２のマーカＬｏｇファイルに登録されたスタンプ画を編集オペレータが選択することにより編集時におけるイン点及びアウト点を指定すると、システムコントローラ１１４は当該指定されたイン点に対応したスタンプ画をそのタイムコードと共にイン点画像表示部２０９Ａに表示し、指定されたアウト点に対応したスタンプ画をそのタイムコードと共にアウト点画像表示部２０９Ｂに表示する。
【００６５】
ＧＵＩ画面の第２の表示パネルであるＦｉｌｅｓパネルＰＮＬ２は、マーカＬｏｇファイルに登録されたスタンプ画及びそのタイムコードを表示するパネルであり、システムコントローラ１１４は、図６に示すように、スタンプ画像を並べたスタンプ画表示画面部２２０によってマーカＬｏｇファイルに登録されたマーカに関する情報を表示する方法、又は図７に示すように、マーカＬｏｇファイルに登録されたマーカに関する情報としてマーカの種類及びタイムコードをマーカ一覧表２３０によって表示する方法のいずれかを編集オペレータの指定に応じて切り換え得るようになされている。
【００６６】
システムコントローラ１１４は、マーカサーチ動作や後述するマーカスキャン動作によって磁気テープ１上の各マーカ（記録開始マークＲＳＭ及びショットマークＧＳＭ１、ＧＳＭ２）を見つけると、当該マーカに対応した磁気テープ１上の画像をスタンプ画及びタイムコードを取り込み、これらをマーカＬｏｇファイルの第１又は第２の表示方法であるスタンプ画表示画面部２２０（図６）又はマーカ一覧表２３０（図７）において表示する。
【００６７】
例えば編集オペレータがキーボード１２２又はマウス１２１を操作してＦｉ−ｌｅｓパネルＰＮＬ２の選択ボタン２２９をクリックすることによりスタンプ画表示画面部２２０による表示を選択すると、システムコントローラ１１４は取り込まれた各マーカごとにマーカ情報表示部２２３Ａ、２２３Ｂ、２２３Ｃ、……に各マーカに対応するマーカ情報を表示する。
【００６８】
各マーカ情報表示部２２３Ａ、２２３Ｂ、２２３Ｃ、……には、図８に示すように、それぞれのマーカが記録されている磁気テープ１の種別を表示するテープ識別表示部２２４Ａ、２２４Ｂ、２２４Ｃ、……と、各マーカに対応したスタンプ画２２１Ａ、２２１Ｂ、２２１Ｃ、……を表示するスタンプ画表示部２２２Ａ、２２２Ｂ、２２２Ｃ、……と、各マーカの種別を表示するマーカ種別表示部２２５Ａ、２２５Ｂ、２２５Ｃ、……と、マーカが付加された位置でのタイムコードを表示するタイムコード表示部２２６Ａ、２２６Ｂ、２２６Ｃ、……が設けられている。
【００６９】
例えば図８においてマーカ情報表示部２２３Ａは、当該マーカ情報表示部２２３Ａによって表されるマーカがテープ番号「Ｒｅｅｌ ０００１」に記録されたものであり、当該マーカが付加された位置でのスタンプ画２２１Ａがスタンプ画表示部２２２Ａに表示された画像であり、当該マーカの種別が記録開始マークＲＳＭであり、そのタイムコードが「２分３０秒０５」であることをマーカ情報として表示している。
【００７０】
これに対して、編集オペレータがキーボード１２２又はマウス１２１を操作してＦｉｌｅｓパネルＰＮＬ２の選択ボタン２２９をクリックすることによりマーカ一覧表２３０による表示を選択すると、システムコントローラ１１４は取り込まれた各マーカごとに図７に示すマーカ一覧表２３０の各マーカ情報表示欄２３１Ａ、２３１Ｂ、２３１Ｃ、……において各マーカに対応するマーカ情報を表示する。
【００７１】
このマーカ一覧表２３０には、当該マーカ一覧表２３０の各マーカ情報表示欄２３１Ａ、２３１Ｂ、２３１Ｃ、……に表示されるマーカが記録されている磁気テープ１を識別表示するテープ識別表示部２３２と、各マーカの付加順を番号によって表したマーカ番号表示部２３３と、各マーカの種別を表示するマーカ種別表示部２３４と、各マーカが付加された位置でのタイムコードを表示するタイムコード表示部２３５と、各マーカに対応したスタンプ画が取り込まれているか否かを表示するスタンプ画フラグ表示部２３６と、各マーカについて編集オペレータがキーボード１２２等を操作することによって所望の情報を入力してなるメモ情報を表示するメモ表示部２３７が設けられている。
【００７２】
例えば図７においてマーカ情報表示欄２３１Ａは、当該マーカ情報表示欄２３１Ａによって表されるマーカがテープ番号「Ｒｅｅｌ ０００１」に記録されたものであり、当該マーカの種別が記録開始マークＲＳＭであり、当該マーカが付加された位置でのタイムコードが「２分３０秒０５」であり、当該マーカに対応するスタンプ画が取り込まれており、当該マーカに対応するメモ情報が入力されていないことを表している。
【００７３】
因みに、磁気テープ１を高速再生や早送り／巻き戻ししながらマーカをスキャンした場合、そのスキャン速度が２０倍速以上の場合にはスタンプ画を取り込むことが困難であり、マーカ表示欄２３０のスタンプ画フラグ表示部２３６にはスタンプ画が取り込まれていないことを表す「無」が表示されるのに対して、スキャン速度が２０倍速以下である場合にはマーカ位置に近似したスタンプ画が取り込まれることによりスタンプ画フラグ表示部２３６にはマーカ位置に対して不正確な近似位置のスタンプ画が取り込まれていることを表す「近似」が表示される。
【００７４】
特に、記録済の磁気テープ１をテープ記録再生部５０に装填した際に、編集オペレータがＧＵＩ画面のマーカスキャンボタン２０７Ａ又は２０７Ｂをクリック操作してマーカスキャン動作を指定すると、バイブリッドレコーダ１００Ａのテープ記録再生部５０はクリック操作されたマーカスキャンボタンで指定された方向に磁気テープ１を２０倍速以下の高速でスキャンし、マーカをサーチするようになされている。
【００７５】
この場合、編集オペレータがマーカスキャンボタン２０７Ａ又は２０７Ｂをクリック操作することに応じてＧＵＩ１２０はＧＵＩ画面に図９に示すダイアログボックスを表示し、マーカスキャン又は定時サンプルのいずれか若しくはその両方が指定されるのを待ち受ける。このとき編集オペレータが例えばマーカスキャンボタン２１６及び定時サンプルボタン２１７の両方をクリックすると、システムコントローラ１１４はこれに応じて、図１０に示すように、磁気テープ１に予め記録された各マーカを２０倍速以下の高速でサーチしながら、同時に時間Ｔごとにサンプル画ＣＰS をタイムコードと共にメモリ１２５に取り込む。このようにして各マーカに対応したスタンプ画ＣＰM 及び定時サンプルによるサンプル画ＣＰS がメモリ１２５に取り込まれると、ＧＵＩ画面上のマーカ一覧表２３０には、図１１に示すようにスタンプ画フラグ表示部２３６に「近似」が表示されると共に、定時サンプルによって取り込まれたサンプル画に対応したマーカ種別表示部２３４には「ＳＡＭ」が表示される。
【００７６】
かくして図７及び図１１に示すように、マーカ一覧表２３０のスタンプ画フラグ表示部２３６に「無」又は「近似」が表示されたマーカについては、編集オペレータがＧＵＩ画面のマーカサーチ送り／戻しボタン２０６Ａ又は２０６Ｂをクリックすることによって必要なマーカのスタンプ画を正確な位置でキューアップして取り込むことができる。
【００７７】
この場合、編集オペレータがＧＵＩ画面のマーカサーチ送り／戻しボタン２０６Ａ又は２０６Ｂをクリックすることに応じて、システムコントローラ１１４はモニタの表示画面上のＧＵＩ画面に図１２に示すダイアログボックス２１０を表示し、編集オペレータは当該ダイアログボックス２１０のサーチ対象指定ボタン２１１、２１２及び２１３の中からサーチしようとするマーカを選択する。選択可能なマーカの種類は、１つであっても複数であっても良い。因みに図１２に示す状態は、ダイアログボックス２１０において編集オペレータがサーチ対象指定ボタン２１１及び２１３をクリックすることによりサーチ対象として記録開始マークＲＳＭ及び第１のショットマークＧＳＭ１が選択された状態を示す。
【００７８】
このようにして編集オペレータはＧＵＩ画面上のダイアログボックス２１０においてサーチ対象であるマーカを指定した後、当該ダイアログボックス２１０の実行ボタン２１４をクリックすると、システムコントローラ１１４は図１３に示すように、現在位置Ｐ１からこのとき編集オペレータによってクリック操作されているマーカサーチ送り／戻しボタン２０６Ａ又は２０６Ｂに応じた方向に記録開始マークＲＳＭ及びショットマークＧＳＭ１をサーチする。
【００７９】
従ってシステムコントローラ１１４は、図１３において現在位置Ｐ１から編集オペレータによってクリック操作されたマーカサーチ送りボタン２０６Ａに応じた方向にマーカのサーチを開始し、このとき選択されていないショットマークＧＳＭ２を通過してこのとき選択されているショットマークＧＳＭ１にキューアップする。このときシステムコントローラ１１４は、ＶｉｅｗｅｒパネルＰＮＬ１のビデオウィンドウ２０３に、キューアップしたショットマークＧＳＭ１のスタンプ画とその一部にショットマークＧＳＭ１を表す表示文字「ＧＳＭ１」を表示する。
【００８０】
システムコントローラ１１４は、このようにして選択されたマークについてキューアップを繰り返すことにより、当該キューアップされたマーク位置の画像をスタンプ画として編集コントローラ１００Ｂのメモリ１２５のスタンプ画格納領域１１８に取り込み、スタンプ画が取り込まれていないマーカ又は近似スタンプ画が取り込まれているマーカのスタンプ画として更新登録する。因みに、タイムコードはマーカを取り込む際に正確に取り込まれている。従って、正確なスタンプ画の更新登録によって、スタンプ画とタイムコードが一致した状態となる。
【００８１】
かくしてマーカ一覧表２３０のスタンプ画フラグ表示部２３６においてスタンプ画が取り込まれていないことを表す「無」及び近似スタンプ画が取り込まれていることを表す「近似」は、図１２及び図１３について上述した正確なサーチ動作によって各マーカ位置に対して正確にキューアップされてそのスタンプ画が取り込まれることにより、マーカのタイムコードに一致したスタンプ画が登録され、その表示は順次「有」に切り換わる。
【００８２】
編集オペレータは、ＦｉｌｅｓパネルＰＮＬ２に表示されたマーカＬｏｇファイルに登録された各マーカの情報に基づき、磁気テープ１上に記録されているマーカの確認及び編集作業におけるイン点及びアウト点の指定等を行うことができる。
【００８３】
すなわち図６において、ＧＵＩ画面の第３の表示パネルであるＰｒｏｇｒａｍパネルＰＮＬ３は、磁気テープ１に記録された素材データ（映像データ及びオーディオデータ）についてタイムラインと呼ばれる編集用トラック２４１Ａ〜２４１Ｇ上で編集に必要な素材のイン点及びアウト点の情報を編集オペレータの指定によってＦｉｌｅｓパネルＰＮＬ２のマーカＬｏｇファイルに登録された各マーカの情報のいずれかを順次表示するようになされている。
【００８４】
この場合、編集オペレータがＦｉｌｅｓパネルＰＮＬ２に表示されたマーカＬｏｇファイルに登録された各マーカの情報（スタンプ画又は一覧表示）をクリックすると共にこれをＶｉｅｗｅｒパネルＰＮＬ１のイン点画像表示部２０９Ａにドラッグすると、ＧＵＩ１２０はイン点画像表示部２０９Ａにこのとき指定されたマーカのスタンプ画を表示する。
【００８５】
またこれと同様にして、編集オペレータがＦｉｌｅｓパネルＰＮＬ２に表示されたマーカＬｏｇファイルに登録された各マーカの情報（スタンプ画又は一覧表示）をクリックすると共にこれをＶｉｅｗｅｒパネルＰＮＬ１のアウト点画像表示部２０９Ｂにドラッグすると、ＧＵＩ１２０はアウト点画像表示部２０９Ｂにこのとき指定されたマーカのスタンプ画を表示する。
【００８６】
このようにしてＶｉｅｗｅｒパネルＰＮＬ１のイン点画像表示部２０９Ａ及びアウト点画像表示部２０９Ｂに編集オペレータがマーカＬｏｇファイルから選択したマーカのスタンプ画が表示されると、編集オペレータは当該スタンプ画を確認した後、これをドラッグ操作によってタイムライン上の所望の位置に移動する。
【００８７】
これにより、タイムラインには新たに編集オペレータが指定したイン点及びアウト点に挟まれた素材データが編集素材データファイルとして登録され、これと同時に磁気テープ１から対応する素材データがこのとき編集作成中であるディスク記録再生部７０のハードディスクの領域に記録される。因みに、磁気テープ１からハードディスクへの記録は、編集オペレータが必要とするファイル全てがタイムライン上に揃った後、編集オペレータが所定の画面キーをクリック操作して一度に実行させるようにしても良い。また、編集素材データファイルの指定はイン点及びその長さを指定するようにしても良い。
【００８８】
また、ＧＵＩ１２０はＰｒｏｇｒａｍパネルＰＮＬ３において、タイムラインツールバー２４４を設け編集オペレータによるクリック操作により、当該操作されたタイムラインツールバー２４４に応じた動作を実行するようになされている。ＧＵＩ１２０は、タイムラインに沿ってタイムラインスケール２４５を表示することにより、編集オペレータは各タイムライン上のタイムコードを当該タイムラインスケール２４５によって確認し得るようになされている。因みに、タイムラインスケール２４５の左端でのタイムコードはタイムラインスケールポジションインジケータ２４５Ａによって表示され、また、タイムラインスケール２４５の右端でのタイムコードはタイムラインスケールポジションインジケータ２４５Ｂによって表示される。
【００８９】
因みに、編集リストを作成する方法としては、図６について上述したタイムライン上での作成方法に代えて、レコードリストを作成するようにしても良い。この場合、図１４に示すように、ＧＵＩ１２０は編集オペレータの指定によってレコードリスト作成用の画面をモニタに表示することができる。
【００９０】
すなわち、図１４において、ＶｉｅｗｅｒパネルＰＮＬ１１は図６について上述したＶｉｅｗｅｒパネルＰＮＬ１と同様にして、ビデオウィンドウ２０３及び制御ボタン群２０６等が設けられており、テープ記録再生装置等のデバイスに対して種々の命令を送出することができる。
【００９１】
また、ＦｉｌｅｓパネルＰＮＬ１４は、図６について上述したＦｉｌｅｓパネルＰＮＬ２と同様にして、磁気テープ１上に記録された素材データについて、サーチ動作を実行することによりメモリ１２５に取り込まれたマーカに関する情報（スタンプ画、ファイル名及びタイムコード等の情報）がマーカＬｏｇファイルとして表示されるようになされており、編集オペレータは、これらのスタンプ画から編集に必要な所望のマータ情報を選択し、これをＲｅｃｏｒｄ ＳｅｔｕｐパネルＰＮＬ１２のイン点画像表示部２０９Ａ又はアウト点画像表示部２０９Ｂにドラッグする。
【００９２】
Ｒｅｃｏｒｄ ＳｅｔｕｐパネルＰＮＬ１２は、ＦｉｌｅｓパネルＰＮＬ１４のマーカLog ファイルに登録されたマーカ情報をＲｅｃｏｒｄ ＬｉｓｔパネルＰＮＬ１３に登録するための種々のセットアップを行う領域であり、編集オペレータがイン点画像表示部２０９Ａ及びアウト点画像表示部２０９Ｂにスタンプ画を登録した状態において、さらにＡｄｄ ｔｏ Ｌｉｓｔボタン２５１をクリックすると、ＧＵＩ１２０はこれに応じてこのとき登録されているイン点画像及びアウト点画像に挟まれた素材データ部分を編集素材データファイルとしてＲｅｃ−ｏｒｄ ＬｉｓｔパネルＰＮＬ１３のレコードリスト一覧表示部２６０に登録する。因みに、編集素材データファイルの設定操作としては、イン点及びその長さを指定するようにしても良い。
【００９３】
このようにして、ＧＵＩ１２０は、マーカＬｏｇファイルに登録されたマーカ情報を用いて、編集作業に必要なシーンの編集素材データファイルを編集オペレータの操作に応じて選択し、当該選択されたマーカ情報をその編集順にレコードリスト一覧表示部２６０に並べる。
【００９４】
因みに、レコードリスト一覧表示部２６０に表示された編集素材データファイルを並べ替える場合には、編集オペレータがレコードリスト一覧表示部２６０において並べ替えるべきファイルを指定しておき、この状態においてＲｅｃｏｒｄ ＳｅｔｕｐパネルＰＮＬ１２のＲｅｐｌａｃｅ Ｉｔｅｍボタン２５２をクリック操作することにより、ＧＵＩ１２０は指定されたファイルをレコードリスト一覧表示部２６０において並べ替える。
【００９５】
かくしてレコードレスト一覧表示部２６０に必要なファイルが揃えられると、編集オペレータがｒｅｃｏｒｄ ＬｉｓｔパネルＰＮＬ１３のＲｅｃ Ａｌｌボタン２６１をクリック操作することにより、システムコントローラ１１４はレコードリスト一覧表示部２６０に並べられたファイルに対応した磁気テープ１上の素材データを順次ハードディスクに記録して行く。これによりレコードリスト一覧表示部２６０に登録された複数のファイルがハードディスク上で一連の編集済データとして構築されて行く。
【００９６】
因みに、磁気テープ１からハードディスクへの記録のタイミングは、レコードリスト一覧表示部２６０が完成した後に限らず、例えば図１４において編集オペレータがＲｅｃｏｒｄ ＳｅｔｕｐパネルＰＮＬ１２のＲｅｃｏｒｄ Ｎｏｗボタン２５３をクリック操作しておくことにより、システムコントローラ１１４はレコードリスト一覧表示部２６０に編集素材データファイルが登録される毎に、これに対応した磁気テープ１上の素材データをハードディスク上に記録することができる。
【００９７】
また、レコードリスト一覧表示部２６０に編集素材データファイルを登録する方法としては、マーカＬｏｇファイルから登録すべきファイルを設定する方法に代えて、図１５に示すようにショットマークＧＳＭ１又はＧＳＭ２を挟んだ２つの記録開始マークＲＳＭ間のデータを全て編集素材データファイルとして登録するようにしても良い。このようにすれば、編集上必要となるショットマークＧＳＭ１又はＧＳＭ２を少なくとも含んだ編集素材データファイルがレコードリスト一覧表示部２６０に登録されることになる。因みに、ショットマークＧＳＭ１又はＧＳＭ２を含んだ２つの記録開始マークＲＳＭ間のデータに限らず、ショットマークＧＳＭ１又はＧＳＭ２を有しない記録開始マークＲＳＭ間のデータをレコードリスト一覧表示部２６０に登録するようにすれば、記録開始マークＲＳＭ間に挟まれたすべてのデータを編集素材データファイルとして登録することもできる。
【００９８】
（４）ダウンロードによるマーカＬｏｇファイルの作成及び編集
図３において編集オペレータがモニタの表示画面上に表示されたＧＵＩ(Ｇ−ｒａｐｈｉｃａｌ Ｕｓｅｒ Ｉｎｔｅｒｆａｃｅ)１２０を見ながらキーボード１２２又はマウス１２１を操作して、ハイブリッドレコーダ１００Ａのテープ記録再生部５０からディスク記録再生部７０への素材データのダウンロードを指定すると、編集コントローラ１００Ｂのシステムコントローラ１１４は、当該指定に応じた制御信号を制御用通信ケーブル１１１を介してハイブリッドレコーダ１００Ａのシステムコントローラ６０に送信する。
【００９９】
システムコントローラ６０は制御信号を受けると、当該制御信号に従ってテープ先頭位置から例えば４倍速での再生動作を開始し、テープ走行を開始すると共に、回転ヘッド部７を回転させる。因に、再生速度は４倍速に限らず、ダウンロード可能な速度であれば良い。またこのときシステムコントローラ６０は、テープ記録再生部５０の動作制御部３（図４）から再生動作を示すモード信号ＭＳを出力させるので、この結果磁気テープ１の傾斜トラックＴＤを回転ヘッド部７で走査して得られた再生信号は、ディジタル信号再生部４２でディジタルの映像信号や音声信号とされて出力され、ディスク記録再生部７０（図３）においてディスクに記録される。また音声トラックＴＡを固定ヘッド８で走査して得られた再生信号は、アナログ音声信号再生部４４でアナログの音声信号とされて出力され、ディスク記録再生部７０（図３）においてディスクに記録される。
【０１００】
タイムコードトラックＴＴを固定ヘッド２５で走査して得られた再生信号は、タイムコード再生信号再生部３１で再生タイムコード信号ＲＴに変換され、さらにデータ分離部３２でタイムコードデータＤＴとユーザーズビット領域データＤＥが分離される。この分離されたユーザーズビット領域データＤＥが記録開始マークデータＤＣ或いはショットマークデータＤＧと等しいことがパターン比較部３５で検出されたときには、このときのタイムコードデータＤＴ、記録開始マークＲＳＭ及びショットマークＧＳＭ１、ＧＳＭ２がＣＰＵ３７のＲＡＭ３７Ａに記憶される。
【０１０１】
ＣＰＵ３７はＲＡＭに記憶された記録開始マークＲＳＭ及びショットマークＧＳＭ１、ＧＳＭ２（エデットマークＥＤＭが磁気テープ１上に記録されている場合には当該エデットマークＥＤＭを含む）を表す記録開始マークデータＤＣ及びショットマークデータＤＧをタイムコードデータＤＴと共にシステムコントローラ６０（図３）に供給する。システムコントローラ６０は、記録開始マークデータＤＣ又はショットマークデータＤＧを受けると、これに応じて画像静止コントロール信号ＣＯＮＴ１を信号デコーダ部８０に供給することにより信号デコーダ部８０においてデコード処理中の映像を静止画として当該信号デコーダ部８０内のメモリに保存し、当該静止画をスタンプ画として編集コントローラ１００Ｂのビデオ圧縮＆キャプチャ１１３に送信し得る状態とする。そしてこのときシステムコントローラ６０はディスク記録再生部７０から供給されるディスクのファイルタイムコードＦＴＣ(Ｆｉｌｅ Ｔｉｍｅ Ｃｏｒｄ)及びファイルのビデオ信号に埋め込まれているタイムデータＴＤに基づいて信号デコーダ部８０における静止画に対応したファイルタイムコードを算出し、これを当該静止画に対応したマークデータ（記録開始マークデータＤＣ又はショットマークデータＤＧ）を表すマークコードと共に制御用通信ケーブル１１１を介して編集コントローラ１００Ｂのシステムコントローラ１１４に送信し得る状態とする。
【０１０２】
かくして磁気テープ１に記録されている記録開始マークＲＳＭ及びショットマークＧＳＭ１、ＧＳＭ２は、そのタイムコード及びスタンプ画と共に必要に応じて編集コントローラ１００Ｂに送信され、メモリ１２５のマーカ種別格納領域１１６、タイムコード格納領域１１７及びスタンプ画格納領域１１８にそれぞれ格納され、マーカＬｏｇファイルに登録される。
【０１０３】
ここで、図１６は磁気テープ１上に記録された素材データを磁気テープ１の先頭位置からハードディスク上にダウンロードする際のマーカの取り込み手順を示し、テープ記録再生部５０に磁気テープ１を装填し、編集オペレータが編集コトローラ１００Ｂのキーボード１２２又はマウス１２１を操作してダウンロードを指定すると、編集コントローラ１００Ｂのシステムコントローラ１１４は当該指定を表す制御信号ＣＯＮＴ２０１をバイブリッドレコーダ１００Ａのテープ記録再生部５０に送出する。
【０１０４】
テープ記録再生部５０は、当該制御信号ＣＯＮＴ２０１に応じて磁気テープ１の再生動作を開始し、再生信号（映像信号及び音声信号）ＳＰＢをディスク記録再生部７０及びデコード部８０に送出する。これにより磁気テープ１上に記録された素材データ（映像信号及び音声信号）が順次動画としてディスク記録再生部７０のハードディスクに記録されて行くと共に、当該記録中の動画及び音声はデコーダ部８０に供給されデコードされる。
【０１０５】
そして、これと同時に編集コントローラ１００Ｂのシステムコントローラ１１４は、ポーリング信号ＣＯＮＴ２０５をハイブリッドレコーダ１００Ａのシステムコントローラ６０に送出することにより、磁気テープ１上からマーカが検出されたか否かを確認する。
【０１０６】
テープ記録再生部５０は、磁気テープ１を再生しながらマーカ検出部５５においてマーカを検出すると、当該マーカをマーカデータバッファであるＲＡＭ３７Ａに格納する。従って、システムコントローラ６０は編集コントローラ１００Ｂからポーリング信号ＣＯＮＴ２０５を受け取ると、このときＲＡＭ３７Ａに格納されているマーカ数を確認し、その結果を応答信号ＣＯＮＴ２０６として編集コントローラ１００Ｂに戻す。
【０１０７】
このときテープ記録再生部５０においては、未だマーカが検出されていないことにより、ＲＡＭ３７Ａ内のマーカ数は「０」である。これにより編集コントローラ１００Ｂのシステムコントローラ１１４は、マーカの取り込み動作を行わず、再びポーリング信号ＣＯＮＴ２１０をテープ記録再生部５０に送出する。
【０１０８】
ここで、テープ記録再生部５０は磁気テープ１からマーカを検出すると、デコダ部８０に対して静止画制御信号ＣＯＮＴ２０７を送出することにより、デコーダ部８０においてこのときテープ記録再生部５０から入力されている再生映像を静止画ＰＩＣ１として固定すると共に、編集コントローラ１００Ｂに返送するためのタイムコード（ファイルタイムコード）ＤＴを静止画の値に合わせて停止させる。
【０１０９】
かくしてポーリング信号ＣＯＮＴ２１０によってマーカ検出状態が確認されると、ハイブリッドレコーダ１００Ａのシステムコントローラ６０は、このときのマーカの種別をＲＡＭ３７Ａから読み出して、これをマーカ検出状態を示す応答信号ＣＯＮＴ２１１に乗せて編集コントローラ１００Ｂに戻す。
【０１１０】
編集コントローラ１００Ｂのシステムコントローラ１１４は当該応答信号ＣＯＮＴ２１１によってマーカ検出状態を確認し、そのマーカ種別をメモリ１２５のマーカ種別格納領域１１６に格納する。
【０１１１】
そして、システムコントローラ１１４は、ハイブリッドレコーダ１００Ａのシステムコントローラ６０に対して、このとき検出されているマーカに対応するファイルタイムコードの要求信号ＣＯＮＴ２１２を送出する。
【０１１２】
システムコントローラ６０は要求信号ＣＯＮＴ２１２に応じてファイルタイムコードＤＴを応答信号ＣＯＮＴ２１３によって編集コントローラ１００Ｂに返送する。これにより編集コントローラ１００Ｂのシステムコントローラ１１４は、ハイブリッドレコーダ１００Ａから返送されたファイルタイムコードＤＴを、メモリ１２５のタイムコード格納領域１１７に格納する。
【０１１３】
また、これと同時にハイブリッドレコーダ１００Ａのシステムコントローラ６０は、このときデコーダ部８０において静止画ＰＩＣ１として保存されているマーカに対応したスタンプ画を編集コントローラ１００Ｂに送出することにより、メモリ１２５のスタンプ画格納領域１１８に格納する。かくして編集コントローラ１００Ｂのメモリ１２５には、磁気テープ１上に記録されマーカの情報（マーカ種別、タイムコード及びスタンプ画）がセットされる。
【０１１４】
ここで、編集コントローラ１００Ｂは磁気テープ１からハードディスクに素材データ（映像信号及び音声信号）をダウンロード中に、編集オペレータが自らマーカをマーカＬｏｇファイル（メモリ１２５）に設定することができようになされている。この場合、編集オペレータは編集コントローラ１００Ｂのコンロール部１１５のマークインボタン１１５Ａを操作することにより、編集コントローラ１００Ｂのシステムコントローラ１１４はマーカ種別をメモリ１２５のマーカ種別格納領域１１６に格納する。この実施の形態の場合、コントロール部１１５の操作によって設定されるマーカはショットマークＧＳＭ１であるように予め設定されている。因みに、コントロール部１１５のマークアウトボタン１１５Ｂを操作することによりショットマークＧＳＭ２を設定することができる。
【０１１５】
このようにしてマーカ種別格納領域１１６にマーカ種別がセットされると、編集コントローラ１００Ｂのシステムコントローラ１１４は、ハイブリッドレコーダ１００Ａに対して静止画制御信号ＣＯＮＴ２２１を送出する。
【０１１６】
ハイブリッドレコーダ１００Ａのシステムコントローラ６０は静止画制御信号ＣＯＮＴ２２１に基づいて、このときデコーダ部８０においてデコードされている映像を静止画ＰＩＣ２として保持すると共に、このときの静止画ＰＩＣ２に合わせたタイムコードＤＴをファイルタイムコードとして保持する。そして、編集コントローラ１００Ｂのシステムコントローラ１１４は、確認信号ＣＯＮＴ２２２をハイブリッドレコーダ１００Ａのシステムコントローラ６０に送出することにより、デコーダ部８０が静止画ＰＩＣ２を保持しているか否かを確認要求する。システムコントローラ６０は確認要求に対して、静止画ＰＩＣ２を保持していることを表す応答信号ＣＯＮＴ２２３を編集コントローラ１００Ｂに返送することにより、編集コントローラ１００Ｂのシステムコントローラ１１４は静止画ＰＩＣ２が保持されていることを確認する。
【０１１７】
かくして、編集コントローラ１００Ｂのシステムコントローラ１１４は、ハイブリッドレコーダ１００Ａのシステムコントローラ６０に対して、ファイルタイムコード要求信号ＣＯＮＴ２２４を送出することにより、応答信号ＣＯＮＴ２２５によって返送されたファイルタイムコードをメモリ１２５のタイムコード格納領域１１７に格納する。
【０１１８】
また、これと同時にハイブリッドレコーダ１００Ａのシステムコントローラ６０は、このときデコーダ部８０において保持されている静止画ＰＩＣ２をスタンプ画として編集コントローラ１００Ｂに送出することにより、これをメモリ１２５のスタンプ画格納領域１１８に格納する。かくして編集コントローラ１００Ｂのメモリ１２５には、編集オペレータがコントロール部１１５を操作することによって新たに設定したマーカの情報（マーカ種別、タイムコード及びスタンプ画）がセットされる。
【０１１９】
かくして、マーカに対応してデコーダ部８０において処理中の再生映像を静止画として保持すると共に、当該静止画に対応したタイムコードをファイルタイムコードとして保持することにより、マーカに対応したスタンプ画及びそのファイルタイムコードを、ハイブリッドレコーダ１００Ａから編集コントローラ１００Ｂに対してことなるタイミングで順次送出してもスタンプ画及びタイムコードの間に差が生じることを回避し得る。
【０１２０】
なお、図１６について上述したダウンロード時のマーカ情報の検出方法においては、マーカを検出したときデコーダ部８０において処理中の再生映像を静止画として保持するようにしたが、本発明はこれに限らず、例えば図１７に示すように静止画を保持することなく正確なマーカ情報（スタンプ画及びタイムコード）をメモリ１２５に取り込むようにしても良い。
【０１２１】
すなわち図１７は磁気テープ１上に記録された素材データを磁気テープ１の先頭位置からハードディスク上にダウンロードする際のマーカの取り込み手順を示し、テープ記録再生部５０に磁気テープ１を装填し、編集オペレータが編集コトローラ１００Ｂのキーボード１２２又はマウス１２１を操作してダウンロードを指定すると、編集コントローラ１００Ｂのシステムコントローラ１１４は当該指定を表す制御信号ＣＯＮＴ３０１をバイブリッドレコーダ１００Ａのテープ記録再生部５０に送出する。
【０１２２】
テープ記録再生部５０は、当該制御信号ＣＯＮＴ３０１に応じて磁気テープ１の再生動作を開始し、再生信号（映像信号及び音声信号）ＳＰＢをディスク記録再生部７０及びデコード部８０に送出する。これにより磁気テープ１上に記録された素材データ（映像信号及び音声信号）が動画として順次ディスク記録再生部７０のハードディスクに記録されて行くと共に、当該記録中の動画及び音声はデコーダ部８０に供給されデコードされる。
【０１２３】
そして、これと同時に編集コントローラ１００Ｂのシステムコントローラ１１４は、ポーリング信号ＣＯＮＴ３０５をハイブリッドレコーダ１００Ａのシステムコントローラ６０に送出することにより、磁気テープ１上からマーカが検出されたか否かを確認する。
【０１２４】
テープ記録再生部５０は、磁気テープ１を再生しながらマーカ検出部５５においてマーカを検出すると、当該マーカをマーカデータバッファであるＲＡＭ３７Ａに格納する。従って、システムコントローラ６０は編集コントローラ１００Ｂからポーリング信号ＣＯＮＴ３０５を受け取ると、このときＲＡＭ３７Ａに格納されているマーカ数を確認し、その結果を応答信号ＣＯＮＴ３０６として編集コントローラ１００Ｂに戻す。
【０１２５】
このときテープ記録再生部５０においては、未だマーカが検出されていないことにより、ＲＡＭ３７Ａ内のマーカ数は「０」である。これにより編集コントローラ１００Ｂのシステムコントローラ１１４は、マーカの取り込み動作を行わず、再びポーリング信号ＣＯＮＴ３１０をテープ記録再生部５０に送出する。
【０１２６】
ポーリング信号ＣＯＮＴ３１０によってマーカ検出状態が確認されると、ハイブリッドレコーダ１００Ａのシステムコントローラ６０は、このときのマーカの種別をＲＡＭ３７Ａから読み出して、これをマーカ検出状態を示す応答信号ＣＯＮＴ３１１に乗せて編集コントローラ１００Ｂに戻す。
【０１２７】
編集コントローラ１００Ｂのシステムコントローラ１１４は当該応答信号ＣＯＮＴ３１１によってマーカ検出状態を確認し、そのマーカ種別をメモリ１２５のマーカ種別格納領域１１６に格納する。
【０１２８】
そして、システムコントローラ１１４は、ハイブリッドレコーダ１００Ａのシステムコントローラ６０に対して、ファイルタイムコードの要求信号ＣＯＮＴ３１２を送出する。
【０１２９】
システムコントローラ６０は要求信号ＣＯＮＴ３１２に応じてタイムコードデータ保持部３３に保持されているマーカに対応したタイムコードＤＴを応答信号ＣＯＮＴ３１３に乗せて編集コントローラ１００Ｂに返送する。編集コントローラ１００Ｂのシステムコントローラ１１４は、ハイブリッドレコーダ１００Ａから返送されたタイムコードＤＴに対して、その後ハイブリッドレコーダ１００Ａから取り込むスタンプ画の取り込みタイミングに合わせて予め設定されている補正値「＋α」を加え、これをファイルタイムコードとしてメモリ１２５のタイムコード格納領域１１７に格納する。
【０１３０】
そして、これに続いてハイブリッドレコーダ１００Ａのシステムコントローラ６０は、このときテープ記録再生部５０から再生された映像をスタンプ画として編集コントローラ１００Ｂに送出することにより、メモリ１２５のスタンプ画格納領域１１８に格納する。このようにスタンプ画格納領域１１８に格納されたスタンプ画は、タイムコード格納領域１１７に格納されたタイムコードＤＴとはハイブリッドレコーダ１００Ａからの取得タイミングが異なるが、システムコントローラ１１４はタイムコードＤＴを予め補正していることにより、タイムコード格納領域１１７に格納された当該補正済のタイムコード（ファイルタイムコード）ＤＴはスタンプ画格納領域１１８に格納されたスタンプ画のタイムコードと一致することになる。
【０１３１】
因みに、スタンプ画格納領域１１８に取り込まれたスタンプ画は、マーカＲＳＭが検出されたタイミングからスタンプ画の取り込み処理に要する時間だけ遅れたタイミングでのスタンプ画であり、ＧＵＩ１２０はＧＵＩ画面（図１１）のスタンプ画フラグ２３６として「近似」の文字を表示することにより、当該スタンプ画がマーカに対して僅かに異なるタイミングでのスタンプ画であることを編集オペレータに知らせるようになされている。
【０１３２】
従って編集オペレータは当該表示を確認することにより、例えば図１３について上述したマーカサーチ動作や特定のマーカへのアクセスを行うことにより、正確なスタンプ画の取り込みを行うことができる。
【０１３３】
かくして編集コントローラ１００Ｂのメモリ１２５には、磁気テープ１上に記録されマーカの情報（マーカ種別、タイムコード及びスタンプ画）がセットされる。
【０１３４】
ここで、編集コントローラ１００Ｂは磁気テープ１からハードディスクに素材データ（映像信号及び音声信号）をダウンロード中に、編集オペレータが自らマーカをマーカＬｏｇファイル（メモリ１２５）に設定することができようになされている。この場合、編集オペレータは編集コントローラ１００Ｂのコンロール部１１５のマークインボタン１１５Ａを操作することにより、編集コントローラ１００Ｂのシステムコントローラ１１４はマーカ種別をメモリ１２５のマーカ種別格納領域１１６に格納する。この実施の形態の場合、コントロール部１１５のマークインボタン１１５Ａを操作によって設定されるマーカはショットマークＧＳＭ１であるように予め設定されている。因みに、コントロール部１１５のマークアウトボタン１１５Ｂを操作することによりショットマークＧＳＭ２が設定される。
【０１３５】
このようにしてマーカ種別格納領域１１６にマーカ種別がセットされると、編集コントローラ１００Ｂのシステムコントローラ１１４は、ハイブリッドレコーダ１００Ａに対してファイルタイムコードの要求信号ＣＯＮＴ３２１を送出する。
【０１３６】
ハイブリッドレコーダ１００Ａのシステムコントローラ６０は要求信号ＣＯＮＴ３２１に応じてタイムコードデータ保持部３３に保持されているタイムコードＤＴを応答信号ＣＯＮＴ３２２に乗せて編集コントローラ１００Ｂに返送する。編集コントローラ１００Ｂのシステムコントローラ１１４は、ハイブリッドレコーダ１００Ａから返送されたタイムコードＤＴに対して、その後ハイブリッドレコーダ１００Ａから取り込むスタンプ画の取り込みタイミングに合わせて予め設定されている補正値「＋α」を加え、これをファイルタイムコードとしてメモリ１２５のタイムコード格納領域１１７に格納する。
【０１３７】
そして、これに続いてハイブリッドレコーダ１００Ａのシステムコントローラ６０は、このときテープ記録再生部５０から再生された映像をスタンプ画として編集コントローラ１００Ｂに送出することにより、メモリ１２５のスタンプ画格納領域１１８に格納する。このようにスタンプ画格納領域１１８に格納されたスタンプ画は、タイムコード格納領域１１７に格納されたタイムコードＤＴとはハイブリッドレコーダ１００Ａからの取得タイミングが異なるが、システムコントローラ１１４はタイムコードＤＴを予め補正していることにより、タイムコード格納領域１１７に格納された当該補正済のタイムコード（ファイルタイムコード）ＤＴはスタンプ画格納領域１１８に格納されたスタンプ画のタイムコードと一致することになる。
【０１３８】
このようにして、ハイブリッドレコーダ１００Ａにおいてマーカが検出される毎にデコーダ部８０において処理中の映像を静止画として保持していない場合でも、システムコントローラ１１４はマーカに近似したスタンプ画及び当該スタンプ画に正確に一致するように補正されたタイムコードをメモリ１２５に格納し、マーカＬｏｇファイルへの登録を行うことができる。
【０１３９】
かくしてマーカＬｏｇファイル（メモリ１２５）への各マーカについての情報（マーカ種別、タイムコード及びスタンプ画）の登録が完了すると、ＧＵＩ１２０は図１８に示すようなＧＵＩ画面をモニタに表示する。
【０１４０】
この場合、ＧＵＩ１２０はＧＵＩ画面のスタンプ画表示画面部２２０に各マーカのスタンプ画を表示する。ＧＵＩ１２０はＧＵＩ画面にマーカ表示選択ボタン３０１、３０２及び３０３を表示し、編集オペレータがこれらのなかからいずれかのボタンをクリックすることにより、ＧＵＩ１２０は当該クリックされたボタンに対応したマーカのスタンプ画（マーカ情報表示部）のみを表示する。例えば編集オペレータが記録開始マークＲＳＭを指定するマーカ表示選択ボタン３０１をクリックすることにより、ＧＵＩ１２０はスタンプ画表示画面部２２０に記録開始マークＲＳＭのスタンプ画（マーカ情報表示部）のみを表示し、これに対して編集オペレータがショットマークＧＳＭ１を指定するマーカ表示選択ボタン３０２をクリックすることにより、ＧＵＩ１２０はスタンプ画表示画面部２２０にショットマークＧＳＭ１のスタンプ画（マーカ情報表示部）のみを表示し、これに対して編集オペレータがショットマークＧＳＭ２を指定するマーカ表示選択ボタン３０３をクリックすることにより、ＧＵＩ１２０はスタンプ画表示画面部２２０にショットマークＧＳＭ２のスタンプ画（マーカ情報表示部）のみを表示する。
【０１４１】
このようにスタンプ画表示画面部２２０にスタンプ画（マーカ情報表示部）が表示された状態において、編集オペレータがそのいずれかをクリックすることにより、システムコントローラ１１４は当該クリックされたスタンプ画の位置に磁気テープ１又はハードディスクをキューアップすることができる。この場合、当該キューアップされた画像はＶｉｅｗｅｒパネルＰＮＬ１のビデオウィンドウ２０３に表示される。
【０１４２】
また、編集オペレータがスタンプ画表示画面部２２０のなかから２つのスタンプ画をクリックして選択すると、システムコントローラ１１４はこれら選択された２つのスタンプ画に対応したマーカ間の素材データをタイムライン上に編集素材データとして設定することができる。例えば、図１８において編集オペレータがマーカ情報表示部２２３Ｂ及び２２３Ｃを選択すると共にタイムライン上の所望の位置を指定すると、システムコントローラ１１４はこれら２つのマーカ間の素材データを編集素材データとして当該タイムライン上に設定することができる。
【０１４３】
また図１９に示すように、ＧＵＩ画面上のスタンプ画表示画面部２２０に複数種類のマーカのスタンプ画が表示された状態においては、システムコントローラ１１４はスタンプ画表示画面部２２０の隣接したショットマークＧＳＭ１及びＧＳＭ２を１つのグループとして表示し、編集オペレータの操作によってこれらのグループをそれぞれ１つの編集素材データとしてタイムライン上の所望の位置に設定することができる。
【０１４４】
また図２０に示すように、ＧＵＩ画面上のスタンプ画表示画面部２２０に複数種類のマーカのスタンプ画が表示された状態においては、システムコントローラ１１４はスタンプ画表示画面部２２０のショットマークＧＳＭ１又はＧＳＭ２を挟む２つの記録開始マークＲＳＭを１つのグループとして表示し、編集オペレータの操作によってこれらのグループをそれぞれ１つの編集素材データとしてタイムライン上の所望の位置に設定することができる。これにより、ショットマークＧＳＭ１又はＧＳＭ２が打たれた記録開始マークＲＳＭ間を編集素材データ（イベント）として設定することができる。
【０１４５】
（５）実施の形態の動作及び効果
以上の構成において、編集オペレータがモニタの表示画面上に表示されたＧＵＩ画面を見ながらキーボード１２２又はマウス１２１を操作して、ハイブリッドレコーダ１００Ａのテープ記録再生部５０の磁気テープ１上に記録されたマーカをサーチ又はスキャンする命令を入力すると、編集コントローラ１００Ｂのシステムコントローラ１１４はハイブリッドレコーダ１００Ａに対して当該サーチ又はスキャンの命令を送出する。
【０１４６】
ハイブリッドレコーダ１００Ａのシステムコントローラ６０は当該命令に応じてテープ記録再生部５０に装填されている磁気テープ１を先頭から高速サーチする。
【０１４７】
この高速サーチにおいて、テープ記録再生部５０は磁気テープ１に予め記録されているマーカを順次サーチしながらこれをマーカ検出部５５において検出し、ＲＡＭ３７Ａに取り込んで行く。そして、システムコントローラ６０は当該取り込まれたマーカを所定のタイミングで編集コントローラ１００Ｂに送出し、メモリ１２５に格納する。このメモリ１２５に格納されたマーカの情報はマーカＬｏｇファイルに登録されることになる。
【０１４８】
このように、磁気テープ１上のマーカをメモリ１２５（マーカＬｏｇファイル）に登録すると、編集オペレータは当該マーカＬｏｇファイルに登録されたマーカに関する情報（マーカ種別、タイムコード及びスタンプ画）を用いてタイムライン（図６）上での編集リストの作成を行うことができる。
【０１４９】
すなわち、編集オペレータはＧＵＩ画面上に表示されたマーカＬｏｇファイルの登録済マーカのスタンプ画又はマーカ情報一覧を見ながらそれらのいずれかにカーソルを合わせてクリックすることにより、必要なシーンのイン点及びアウト点を指定する。このようにしてイン点及びアウト点が指定されると、これらに挟まれた素材データが編集素材データとして設定され、編集オペレータが指定したタイムライン上の位置に登録される。この編集リスト再生作業中には、磁気テープ１上の素材データへのアクセスは行われない。
【０１５０】
従って、このように一旦磁気テープ１上からマーカ及び当該マーカに関する情報を読み出してマーカＬｏｇファイルに登録しておくことにより、レコードリストやタイムライン上での編集リストを作成する際に、その都度磁気テープ１上の素材データを読み出すことなく、簡単に編集リストを作成することができる。
【０１５１】
このようにして編集オペレータによってタイムライン上での編集リストが作成されると、システムコントローラ１１４は編集オペレータの操作に応じて、このとき作成されたタイムライン上での編集リストに従ったダウンロードを実行することにより、磁気テープ１上の編集に必要とされる編集素材データがハードディスク上に記録されて行く。
【０１５２】
かくしてハードディスク上には編集オペレータがマーカＬｏｇファイルを用いて作成したレコードリストやタイムライン上での編集リストに従った編集済データが作成される。
【０１５３】
以上の構成によれば、磁気テープ１上からマーカをサーチしてマーカＬｏｇファイルに登録しておき、当該マーカＬｏｇファイルに登録されたマーカに関する情報（マーカ種別、タイムコード及びスタンプ画）をＧＵＩ画面上に表示し、当該表示された情報を用いてタイムライン上での編集リストを作成するようにしたことにより、当該編集リストを作成する編集作業において編集オペレータは磁気テープ１上の素材データにアクセスすることなくＧＵＩ画面上で編集作業を容易に行うことができる。
【０１５４】
また以上の構成において、編集オペレータがモニタの表示画面上に表示されたＧＵＩ画面を見ながらキーボード１２２又はマウス１２１を操作して、ハイブリッドレコーダ１００Ａのテープ記録再生部５０の磁気テープ１上に記録されたマーカをサーチする命令を入力すると、編集コントローラ１００Ｂのシステムコントローラ１１４はハイブリッドレコーダ１００Ａに対して当該サーチ命令を送出する。
【０１５５】
ハイブリッドレコーダ１００Ａのシステムコントローラ６０は当該サーチ命令に応じてテープ記録再生部５０に装填されている磁気テープ１を先頭から高速サーチする。
【０１５６】
この高速サーチにおいて、テープ記録再生部５０は磁気テープ１に予め記録されているマーカを順次サーチしながらこれをマーカ検出部５５において検出し、ＲＡＭ３７Ａに取り込んで行く。そして、システムコントローラ６０は当該取り込まれたマーカを所定のタイミングで編集コントローラ１００Ｂに送出し、メモリ１２５に格納する。このメモリ１２５に格納されたマーカの情報はマーカＬ−ｏｇファイルに登録されることになる。
【０１５７】
かかる高速サーチにおいては、そのサーチ速度が高くなる程、読み出されるマーカのタイムコードとこれに対するスタンプ画はずれることになる。例えばサーチ速度が２０倍速以上では、スタンプ画を読み出すことが困難になるため、マーカ種別情報及びタイムコードのみがメモリ１２５に格納されることになる。
【０１５８】
このようにスタンプ画がタイムコードと一致しない状態（近似状態）又はスタンプ画が取り込まれない状態となった場合、編集オペレータがサーチ動作を指定することによりシステムコントローラ１１４はこれに応じて各マーカへの正確なアクセスを行う。これにより、高速サーチにおいて近似スタンプ画が取り込まれた場合又はスタンプ画が取り込まれていない場合においても、システムコントローラ１１４はその後の正確なアクセスによってマーカのタイムコード及びスタンプ画を一致させた状態でこれらをマーカＬｏｇファイルに登録することができる。
【０１５９】
かくして正確なスタンプ画及びタイムコードを登録したマーカＬｏｇファイルを用いて正確な編集作業を行うことができる。
【０１６０】
また以上の構成において、編集オペレータがモニタの表示画面上に表示されたＧＵＩ画面を見ながらキーボード１２２又はマウス１２１を操作して、ハイブリッドレコーダ１００Ａのテープ記録再生部５０の磁気テープ１上に記録されたマーカをサーチ又はスキャンする命令を入力すると、編集コントローラ１００Ｂのシステムコントローラ１１４はハイブリッドレコーダ１００Ａに対して当該サーチ又はスキャンの命令を送出する。
【０１６１】
ハイブリッドレコーダ１００Ａのシステムコントローラ６０は当該命令に応じてテープ記録再生部５０に装填されている磁気テープ１を先頭から高速サーチする。
【０１６２】
この高速サーチにおいて、テープ記録再生部５０は磁気テープ１に予め記録されているマーカを順次サーチしながらこれをマーカ検出部５５において検出し、ＲＡＭ３７Ａに取り込んで行く。そして、システムコントローラ６０は当該取り込まれたマーカを所定のタイミングで編集コントローラ１００Ｂに送出し、メモリ１２５に格納する。このメモリ１２５に格納されたマーカの情報はマーカＬ−ｏｇファイルに登録されることになる。
【０１６３】
このように、磁気テープ１上のマーカをメモリ１２５（マーカＬｏｇファイル）に登録すると、編集オペレータは当該マーカＬｏｇファイルに登録されたマーカに関する情報（マーカ種別、タイムコード及びスタンプ画）を用いてレコードリスト一覧表示部２６０（図１４）への登録やタイムライン（図６）上での編集リストの作成を行うことができる。
従って、このように一旦磁気テープ１上からマーカ及び当該マーカに関する情報を読み出してマーカＬｏｇファイルに登録しておくことにより、レコードリストやタイムライン上での編集リストを作成する際に、その都度磁気テープ１上の素材データを読み出すことなく、簡単に編集リストを作成することができる。
【０１６４】
このようにして編集オペレータによってレコードレストやタイムライン上での編集リストが作成されると、システムコントローラ１１４は編集オペレータの操作に応じて、このとき作成されたレコードレストやタイムライン上での編集リストに従ったダウンロードを実行することにより、磁気テープ１上の編集に必要とされる編集素材データがハードディスク上に記録されて行く。
【０１６５】
かくしてハードディスク上には編集オペレータがマーカＬｏｇファイルを用いて作成したレコードリストやタイムライン上での編集リストに従った編集済データが作成される。
【０１６６】
以上の構成によれば、磁気テープ１上からマーカをサーチしてマーカＬｏｇファイルに登録しておき、当該マーカＬｏｇファイルに登録されたマーカに関する情報（マーカ種別、タイムコード及びスタンプ画）を用いてレコードリストやタイムライン上での編集リストを作成するようにしたことにより、当該編集リストを作成する編集作業において編集オペレータは磁気テープ１上の素材データにアクセスすることなく編集作業を完了することができる。かくして、編集作業を一段と容易に行うことができる。
【０１６７】
また以上の構成において、編集オペレータがモニタの表示画面上に表示されたＧＵＩ画面を見ながらキーボード１２２又はマウス１２１を操作して、ハイブリッドレコーダ１００Ａのテープ記録再生部５０の磁気テープ１上に記録されたマーカをサーチ又はスキャン若しくは磁気テープ１の素材データを高速再生する命令を入力すると、編集コントローラ１００Ｂのシステムコントローラ１１４はハイブリッドレコーダ１００Ａに対して当該サーチ又はスキャン若しくは高速再生の命令を送出する。
【０１６８】
ハイブリッドレコーダ１００Ａのシステムコントローラ６０は当該命令に応じてテープ記録再生部５０に装填されている磁気テープ１を先頭から高速サーチ又は高速再生する。
【０１６９】
この高速サーチ又は高速再生において、テープ記録再生部５０は磁気テープ１に予め記録されているマーカを順次サーチしながらこれをマーカ検出部５５において検出し、ＲＡＭ３７Ａに取り込んで行く。そして、システムコントローラ６０は当該取り込まれたマーカを所定のタイミングで編集コントローラ１００Ｂに送出し、メモリ１２５に格納する。このメモリ１２５に格納されたマーカの情報はマーカＬｏｇファイルに登録されることになる。
【０１７０】
この場合、システムコントローラ６０は、マーカの情報として当該マーカが検出されたときのタイムコードを読み出すと共に、マーカの検出に応じてデコーダ部８０での処理中画像を静止画として保持する。
【０１７１】
そして、システムコントローラ６０はマーカに対応して読み出されたタイムコードを編集コントローラ１００Ｂに送出してメモリ１２５のタイムコード格納領域１１７に格納すると共に、このときデコーダ部８０において保持されたマーカに対応した静止画を編集コントローラ１００Ｂに送出してこれをメモリ１２５のスタンプ画格納領域１１８に格納する。
【０１７２】
これにより、メモリ１２５（すなわちマーカＬｏｇファイル）には、磁気テープ１上から検出されたマーカ（ＲＳＭ、ＧＳＭ１又はＧＳＭ２）に対応したタイムコード及び当該タイムコードに一致したスタンプ画が格納される。
【０１７３】
従って、マーカＬｏｇファイルに登録されたマーカのタイムコード及びスタンプ画は一致することになり、編集作業を正確に行うことができる。
【０１７４】
以上の構成によれば、磁気テープ１上においてマーカを検出したとき当該マーカに対応したタイムコードを読み出すと共に、デコーダ部８０において処理中（すなわち磁気テープ１から再生中）の画像を静止画として保持することにより、マーカに対応したスタンプ画をマーカに対応して読み出されたタイムコードと一致させることができる。
【０１７５】
かくして編集リストの作成作業を正確かつ容易にすることができる。
【０１７６】
上述のように本実施例によれば、テープ状記録媒体に対して高速アクセスすることにより上記テープ状記録媒体に記録されているマーカを検出し、当該検出されたマーカに対応する素材データを所定のファイルに登録し、ファイルに登録された素材データを表示し、当該表示された素材データを用いて素材データの編集リストを作成するようにしたことにより、編集リストを作成する編集作業において、テープ状記録媒体の素材データにアクセスすることなくファイルに登録された素材データを用いて容易に編集リストを作成することができる。
【０１７７】
かくするにつき、編集作業を一段と容易にし得る。
【０１７８】
また本実施例によれば、テープ状記録媒体に対して高速アクセスすることによりテープ状記録媒体に記録されているマーカを検出し、高速アクセスによってマーカが検出されたとき、当該マーカの検出に応じてテープ状記録媒体から素材データ読み出すことによりマーカの記録位置に近似した位置での素材データを所定の記憶手段に取り込み、高速アクセスでのアクセス速度よりも低いアクセス速度でテープ状記録媒体にアクセスし、マーカの記録位置に一致した位置での素材データを読み出して記憶手段に取り込まれた近似素材データと置き換えることにより、高速アクセスによって取り込まれた近似素材データをマーカと正確に一致した素材データに置き換えることができ、これにより正確な素材データを用いた編集作業を行うことができる。
【０１７９】
また本実施例によれば、テープ状記録媒体に対して高速アクセスすることによりテープ状記録媒体に記録されているマーカを検出し、当該検出されたマーカを所定のファイルに登録し、ファイルに登録されたマーカを用いて素材データの編集リストを作成し、当該作成された編集リストに基づいて素材データのなかから必要なデータを読み出して編集済データを作成するようにしたことにより、編集リストを作成する作業において、テープ状記録媒体の素材データにアクセスすることなく容易に編集リストを作成することができる。
【０１８０】
かくするにつき、編集作業を一段と容易にし得る。
【０１８１】
また本実施例によれば、テープ状記録媒体を高速再生することによりテープ状記録媒体に記録されているマーカを検出し、マーカが検出されたとき当該マーカに対応するタイムコードを記憶すると共にテープ状記録媒体から再生される素材データを保持し、検出されたマーカに対応して保持された素材データ及びタイムコードを所定のファイルに登録し、ファイルに登録された素材データ及びタイムコードを用いてテープ状記録媒体上の素材データの編集リストを作成するようにしたことにより、ファイル上の素材データ及びタイムコードをマーカに対して互いに一致させることができる。
【０１８２】
かくするにつき編集リストの作成作業を一段と正確かつ容易に行うことができる。
【産業上の利用可能性】
【０１８３】
編集装置及び編集方法において、テープ状記録媒体に記録された素材データを編集する場合等に利用できる。
【図面の簡単な説明】
【０１８４】
【図１】磁気テープの記録パターンを示す略線図である。
【図２】タイムコード信号のフォーマットを示す略線図である。
【図３】本発明による編集装置の全体構成を示すブロック図である。
【図４】テープ記録再生部の構成を示すブロック図である。
【図５】マーカサーチによるマーカ検出の説明に供する略線図である。
【図６】ＧＵＩ画面を示す略線図である。
【図７】ＧＵＩ画面を示す略線図である。
【図８】マーカ情報表示部を示す略線図である。
【図９】マーカスキャン及び定時サンプルを設定するダイアログボックスを示す略線図である。
【図１０】マーカスキャン動作の説明に供する略線図である。
【図１１】ＧＵＩ画面を示す略線図である。
【図１２】サーチ対象のマーカを設定するダイアログボックスを示す略線図である。
【図１３】正確なマーカサーチ動作の説明に供する略線図である。
【図１４】ＧＵＩ画面を示す略線図である。
【図１５】編集素材データのレコードリストへの登録動作の説明に供する略線図である。
【図１６】ダウンロード時のマーカ検出動作の説明に供する略線図である。
【図１７】ダウンロード時のマーカ検出動作の説明に供する略線図である。
【図１８】ＧＵＩ画面を示す略線図である。
【図１９】ＧＵＩ画面を示す略線図である。
【図２０】ＧＵＩ画面を示す略線図である。
【符号の説明】
【０１８５】
１……磁気テープ、５０……テープ記録再生部、５５……マーカ検出部、６０、１１４……システムコントローラ、７０……ディスク記録再生部、８０……デコーダ部、１００Ａ……ハイブリッドレコーダ、１００Ｂ……編集コントローラ、１１５……コントロール部、１１６……マーカ種別格納領域、１１７……タイムコード格納領域、１１８……スタンプ画格納領域、１２０……ＧＵＩ、１２１……マウス、１２２……キーボード、１２５……メモリ、２２０……スタンプ画表示画面部。
【図１】
2008041245.tif 000003
【図２】
2008041245.tif 000004
【図３】
2008041245.tif 000005
【図４】
2008041245.tif 000006
【図５】
2008041245.tif 000007
【図６】
2008041245.tif 000008
【図７】
2008041245.tif 000009
【図８】
2008041245.tif 000010
【図９】
2008041245.tif 000011
【図１０】
2008041245.tif 000012
【図１１】
2008041245.tif 000013
【図１２】
2008041245.tif 000014
【図１３】
2008041245.tif 000015
【図１４】
2008041245.tif 000016
【図１５】
2008041245.tif 000017
【図１６】
2008041245.tif 000018
【図１７】
2008041245.tif 000019
【図１８】
2008041245.tif 000020
【図１９】
2008041245.tif 000021
【図２０】
2008041245.tif 000022